(57)【特許請求の範囲】
【請求項１】
足を載せる履物用台座（１０）であって、
その台座（１０）の厚み方向で上下に２分割された上側台座片（１１）と下側台座片（１２）で構成され、一つ又は複数の連結部（１３）で薄い厚みの直線（ｃ）の折り線（１３ａ）位置を確定して上側台座片（１１）と下側台座片（１２）を重ね合わせて結合したものであり、
上記履物用台座（１０）はその上側台座片（１１）と下側台座片（１２）とを上記連結部（１３）を介し並べた状態でその連結部（１３）も含んで一体樹脂成形されたものであることを特徴とする履物用台座。
【請求項２】
さらに、上記連結部（１３）は、上記台座（１０）の側面横方向、同側面前方向、又は同側面後方向に設けて、上記上側台座片（１１）と下側台座片（１２）とを一体樹脂成形して連結する目的以外の機能として、前記台座（１０）の側面前方向の場合は躓き防止、同側面後方向の場合は上側台座片（１１）と下側台座片（１２）の剥離防止、又は同側面後方向や側面横方向の場合にはロゴ等の模様表記、の少なくとも一つを発揮することを特徴とする請求項１に記載の履物用台座。
【請求項３】
上記上側台座片（１１）又は下側台座片（１２）の何れか一方又は双方を前後に分割し、その分割した部材（１１ａ、１１ｂ、１２ａ、１２ｂ）を前後方向又は横方向に台座片（１１、１２）の少なくとも周囲１か所で上記連結部（１３）を介し連結して一体のものとしたことを特徴とする請求項１又は２に記載の履物用台座。
【請求項４】
上記上側台座片（１１）と下側台座片（１２）の重ね合わせ面の少なくとも周囲において、上側台座片（１１）の前記重ね合わせ面に面ファスナ（４０）の一片（４１）を固着し、下側台座片（１２）の前記重ね合わせ面には面ファスナ（４０）の他片（４２）を固着し、この面ファスナ（４０）の両片（４１、４２）を結合・離脱することによって上下の台座片（１１、１２）を着脱可能としたことを特徴とする請求項１乃至３の何れか一つに記載の履物用台座。
【請求項５】
上記上側台座片（１１）と下側台座片（１２）を面ファスナ（４０）で互いを着脱可能に固着した重ね合わせ面以外において、上側台座片（１１）と下側台座片（１２）の厚みの中に収納用空隙（３１、３２）を設けたことを特徴とする請求項４に記載の履物用台座。
【請求項６】
上記上側台座片（１１）と上記下側台座片（１２）との間に、鼻緒（２０）の端部（２１ａ、２２ａ）、又は鼻緒（２０）の端部（２１ａ、２２ａ）及びつま先カバー（５０）の側片端部（５１）を挟んで、鼻緒（２０）、又は鼻緒（２０）及びつま先カバー（５０）を挟持固定したことを特徴とする請求項１乃至５の何れかに一つに記載の履物用台座を用いた履物。
【請求項７】
履物用台座（１０）の厚み方向で上下に２分割された上側台座片（１１）と下側台座片（１２）で構成され、一つ又は複数の連結部（１３）に設けた直線（ｃ）の折り線（１３ａ）位置を確定して上側台座片（１１）と下側台座片（１２）を所定位置に重ね合わせて結合した足を載せる前記履物用台座（１０）の製造方法であって、
金型に、上記上側台座片（１１）及び下側台座片（１２）と同時に連結部（１３）を並べたキャビティを形成し、そのキャビティ内に樹脂を充填して成形することを特徴とする履物用台座の製造方法。
【請求項８】
上記樹脂を発泡樹脂とし、その発泡樹脂を上記キャビティ内に射出し、その際、上記連結部（１３）を介して上記上側台座片（１１）と下側台座片（１２）とを前記キャビティ内の圧力や温度を均等にして成形することを特徴とする請求項７に記載の履物用台座の製造方法。
【発明の詳細な説明】
【技術分野】
【０００１】
この発明は、下駄、雪駄、草履等の足を載せる履物用台座、その台座を使用した履物、及びその台座の製造方法に関するものである。
【背景技術】
【０００２】
履物の一例として、例えば、下駄は、木をくりぬき、歯を作りつけにし、台部に三つの穴をあけて鼻緒をすげた履物であり、歯はふつう２本で、別の材を差し込むものもある。 
草履は、歯がなく、底が平らで、鼻緒をすげてある履物であり、わら・藺草(いぐさ)・竹皮などを編んだものや、ビニール・コルク・ゴムなどで作ったものがある。 
雪駄は、竹皮草履(ぞうり)の裏に革をはった履物であり、底が痛みにくく、また、湿気が通らないものもある。
このように、各履物は用途、素材で色々な形態のものが作られ、一概にこれが各履物の定義にはならず、上記はあくまで参考例である。
【０００３】
一方、各種の履物において、その履物本体を上下に２分割し、その上下の分割片を各種の係合手段によって着脱自在とし、その上下の分割片をそれぞれ仕様の異なる複数種類用意し、その仕様の異なる上下の分割片を適宜に選択して結合することによって、複数種類の履物とし得る技術がある（特許文献１、２、３参照）。
【０００４】
また、足を載せる台座に鼻緒を取付けた履物において、台座に鼻緒の前緒及び横緒の挿通孔が形成されるとともに、鼻緒の前緒及び横緒の端部に抜け止め凸部を設け、その凸部を前記挿通孔に無理矢理通すことによって、鼻緒を台座に取り付けるものがある（特許文献４、図４参照）。さらに、その鼻緒を取り替え自在とした技術もある（特許文献５参照）。
【先行技術文献】
【特許文献】
【０００５】
【特許文献１】特開昭４９−５８９４６号公報
【特許文献２】特開２００１−８７０３号公報
【特許文献３】特表２０１０−５２３１７４号公報
【特許文献４】特開２００１−２３１６０１号公報
【特許文献５】実用新案登録第３０８５２７３号公報
【発明の概要】
【発明が解決しようとする課題】
【０００６】
上記の履物用台座を上側台座片と下側台座片とに分けて交換可能に工夫した技術は、その上下の台座片を完全分離するものであって、その両台座片の結合手段は、スタッドとソケットでの結合構造であったり（特許文献１）、係合突起と係合凹部での凹凸面での結合構造であったり（特許文献２）、ジッパーでの結合構造であったり（特許文献３）である。
このような結合構造であると、各々の部材を複数の部品で組み立てて製作しなくてはいけなかったり（特許文献１、３）、係合突起と係合凹部の配置に細心の注意を払って台座片の成型用金型の製作が求められることになったりする（特許文献２）。すなわち、履物が受ける体重移動の反りなども考慮し、各部の凹凸面の形状に微細なノウハウも含めて  成型用金型を作る必要が求められる。
以上から、これらの各技術は、製品（組品）の製造に多くの工程が求められたり、金型に高度な精度が要求されるので、金型が高価になったりして、履物を安価に製造できるものでは無い。
【０００７】
また、上側台座片と下側台座片は別々に製作されるために、微妙に寸法差が生じ、同じ寸法で嵌合精度の良い組合せ部材を各々のグループから選択する必要が求められる。
さらに、上側台座片と下側台座片との結合がスタッドとソケットでの結合による場合は、その結合部分での凹凸が履物の不快な突起違和感として伝わり好ましくなく、その上、結合時にもすべての複数の部材の結合作業が要求されるのでその作業性が悪い。
また、係合突起と係合凹部での凹凸面での係合手段の場合には、履物の反りに対する結合剥離に対し結合面の位置により凹凸面に傾きを有する等して解決しているとの記載はあるが（特許文献２段落００２２〜同００２５）、実際に、反りで剥離しないか否か不明である。
さらに、ジッパーでの係合手段は靴の場合は可能であるが、鼻緒付履物では、その厚みが薄いことから使用し得ない。
【０００８】
また、人は移動する際に色々な小物を一緒に持ち歩きたいものである。特に鼻緒付履物を履いて移動する際は、軽装で行動する為に手には可能な限り何も持ちたくはない。このような場合、お金や家の鍵などの貴重品を隠し持ち出来る場所が有れば好ましい。
さらに、履物に対する人々のニーズは多様であり、履物の台座の形状に至っても例外では無い。このため、形状の差があれば、それが一つの差別化になるので色々な形状の提案が好ましい。
また、鼻緒付履物のバリエーションの一つにつま先カバーが設けられたものがある。特に、鼻緒付履物は、その解放感から夏場の履物イメージが強い。しかし、雨の日や、真夏以外でも履ける履物にはつま先を保護するカバーが求められている。
【０００９】
この発明は、以上の実状の下、安価に台座の上部と下部を切り離して再度簡単な手法で組み立て得る構造体を提案し、鼻緒の挿げ替えやつま先カバーの交換、そして貴重品など小物の隠し空間の提供などを可能にすることで、趣の異なる履物に容易にし得るようにすることを課題とする。
【課題を解決するための手段】
【００１０】
通常、合成樹脂を成形加工する際、その樹脂素材の特性や温度管理の度合いによって、完成品の大きさに若干の不揃いが生じる。特に、発泡成形の場合にはその差が顕著になる。このため、上側台座片と下側台座片とを別々に樹脂成形すると、両台座片の不揃いが生じて製品価値が低下する。
この点に鑑み、この発明は、足を載せる履物用台座を、その台座の厚み方向で上下に２分割された上側台座片と下側台座片で構成し、一つ又は複数の連結部で直線の折り線位置を確定して上側台座片と下側台座片を重ね合わせて結合したものとし、かつ、その台座は上側台座片と下側台座片とを連結部を介し並べた状態で連結部も含んで一体樹脂成形された構成としたのである。
【００１１】
このようにすれば、上側台座片と下側台座片が同一の金型でもって同時に成形し得るため、樹脂収縮や発泡等による両台座片間の寸法誤差も生じ難い。また、その寸法精度が確保される上に、上側台座片と下側台座片を広げた状態でその台座片の長手方向、又は短手方向に２点で定まる直線折曲部（折り目線）で連結する構造で台座を成形し、その２点で定まる直線折曲部に沿って上側台座片と下側台座片とを重ね合わせて台座とすることで、両台座片の高精度の位置合わせが可能となるため、その重ね合わせ度合いも設計通りとなって、要求する両台座片の大きさが揃った綺麗な台座とすることができる。
また、その台座は、プレス成形や射出成形によって樹脂製品として安価に製造できるとともに、その形状も種々のものとすることができ、容易に差別化された履物用台座とすることができ、履物に対する人々のニーズに応えやすいものとなる。
【００１２】
この構成において、上側台座片と下側台座片を重ね合わせて結合する手段は、種々の手段が考えられるが、例えば、上側台座片と下側台座片の重ね合わせ面の少なくとも周囲において、上側台座片の前記重ね合わせ面に面ファスナの一片を固着し、下側台座片の前記重ね合わせ面には面ファスナの他片を固着し、この面ファスナの両片を結合・離脱することによって上下の台座片を着脱可能とした構成を採用することができる。
【００１３】
この構成における上側台座片と下側台座片を面ファスナで互いを着脱可能に固着した重ね合わせ面以外において、上側台座片と下側台座片の厚みの中に収納用空隙を設けた構成を採用することができる。
その空隙には、片状ウエイトや同クッション、鍵等に加えてお金等を収納できる。このように、台座にウエイト等を収納し得れば、色々な機能を発揮する履物とし得るとともに、軽装で行動する為に手には可能な限り何も持ちたくはない場合には、鍵等の小物を空隙に収納できて有利な履物用台座となる。
【００１４】
面ファスナは、両片の結合面を取付面に容易に沿って設けることができ、かつ強固な結合力（固着力）を有するため、上側台座片から下側台座片に伝達される踏み力に容易に耐えて両者を強固に一体化し得る。このため、通常の履物利用では台座は上側台座片と下側台座片とに割れず、反面、人が両台座片への結合面に意図的に剥ぎ取り力を加えることで上側台座片と下側台座片の分離（分割）が可能であるため、両台座片の分離も容易である。これによって、台座の中に潜めた小物の出し入れから、下記鼻緒やつま先カバーの交換も容易に可能になるので、履物の利用シチュエーションに照らした構成で履物の模様替えが可能となる。
【００１５】
この台座の上側台座片と下側台座片は複数分割形状で構成する事も可能である。例えば、上側台座片又は下側台座片の何れか一方又は双方を前後に分割し、その分割した部材を前後方向又は横方向に台座片の少なくとも周囲１か所で連結して一体のものとすることができる。このように、台座の上側台座片と下側台座片を複数分割形状で構成すれば、台座の色々な外観を提供可能となり、従来になかった趣の履物用台座とすることができる。
【００１６】
以上の構成の台座は、履物としては、長靴、短靴等の足を入れる靴本体をその台座上面に固着すれば、所要の靴とすることができ、また、鼻緒等を設ければ、下駄、雪駄、草履等とし得る。
その鼻緒を設けた履物としては、例えば、上記上側台座片に鼻緒の前緒及び横緒の挿通孔が形成されており、前記上側台座片の各挿通孔にその上側台座片の表面側から鼻緒の前緒及び横緒の端部を挿し通して上側台座片の裏面に至らせ、下側台座片を上側台座片の裏面に合わせて固着し、その両台座片の固着によって鼻緒の前緒及び横緒の端部が両台座片に挟持されて抜け止めされている構成等を採用することができる。
この構成であると、台座は上側台座片と下側台座片に分離可能なので、この両台座片間に鼻緒の端を挿げて固定する事も可能であり、その鼻緒を種々の態様のものに交換することによって、趣の異なる鼻緒付き履物となる。
【００１７】
この鼻緒付き履物において、その鼻緒の前緒及び横緒の端部に面ファスナの一片を固着し、鼻緒を挿通孔に挿通した（挿げた）後に折り曲げた該端部の面ファスナの一片が接する台座面には面ファスナの他片を固着し、この面ファスナの両片の結合により、鼻緒が台座に抜け止め固定されている構成を採用することができる。
このように、面ファスナによって鼻緒を取付可能とすれば、その鼻緒の交換がより簡単となる。
【００１８】
上記台座による他の態様の履物としては、つま先カバーを設けたものとすることもできる。その履物の構成としては、上側台座片にその前側表面に被さるつま先カバーを着脱可能に設け、そのつま先カバーの側片端部を上側台座片の裏面に至らせ、その上側台座片と下側台座片の固着によってつま先カバーの側片端部が両台座片に挟持固定されている構成等を採用することができる。
このとき、上記鼻緒を有する履物であっても、このつま先カバーを同様にして設けることができる。
このように、つま先カバーを上側台座片と下側台座片の間に挟み込んで固定可能であれば、鼻緒と同様に、種々の形状・模様のつま先カバーの交換が可能となる。
【００１９】
上記台座の製造方法としては、種々の周知の手段が考えられるが、例えば、金型に、上側台座片及び下側台座片と同時に連結部を有するキャビティを形成し、その金型でもって、前記キャビティを介し、樹脂板プレス成形又は樹脂注入射出成形して台座を成形する構成を採用することができる。
【発明の効果】
【００２０】
この発明は、以上のように構成したので、安価で従来にない趣の台座を得ることができるとともに、その台座を用いた、鼻緒付き履物やつま先カバー付き履物などを得ることができる。
【図面の簡単な説明】
【００２１】
【図１】この発明に係る履物の一実施形態を示し、（ａ）はその斜視図、（ｂ）は要部切断正面図
【図２】同実施形態の各部材の分解斜視図
【図３】同履物の他の実施形態を示し、（ａ）はその斜視図、（ｂ）はその台座の展開斜視図
【図４】同履物のさらに他の実施形態を示し、（ａ）はその斜視図、（ｂ）はその台座の展開斜視図
【図５】同履物のさらに他の実施形態を示し、（ａ）はその斜視図、（ｂ）はその台座の展開斜視図
【図６】同履物のさらに他の実施形態を示し、（ａ）はその斜視図、（ｂ）はその台座の展開斜視図
【図７】同履物のさらに他の実施形態を示し、（ａ）はその斜視図、（ｂ）はその台座の展開斜視図
【図８】同履物のさらに他の実施形態を示し、（ａ）はその斜視図、（ｂ）はその台座の展開斜視図
【図９】同履物のさらに他の実施形態を示し、（ａ）はその斜視図、（ｂ）はその台座の展開斜視図
【図１０】同履物のさらに他の実施形態を示し、（ａ）はその斜視図、（ｂ）はその台座の展開斜視図
【図１１】同履物のさらに他の実施形態の斜視図
【図１２】同履物のさらに他の実施形態の斜視図
【図１３】同履物のさらに他の実施形態の斜視図
【図１４】同履物のさらに他の実施形態を示し、（ａ）はその斜視図、（ｂ）は切断右側面図
【図１５】同実施形態の各部材の分解斜視図
【図１６】参考例を示し、（ａ）はその斜視図、（ｂ）は正面図
【発明を実施するための形態】
【００２２】
この発明に係る履物の一実施形態を図１、図２に示し、この実施形態の履物Ａ１は、足を載せる台座１０と、その台座１０の上面に取付けた鼻緒２０とからなる雪駄であり、台座１０は天然ゴム、コルク、合成樹脂（ＥＶＡ（エチレン・酢酸ビニル共重合樹脂）、ウレタン、合成ゴム、ポリエチレン、塩化ビニルなど）などの素材からなる。
台座１０は、厚み方向の中程で表面に並行な面で上下に２分割されて、上側台座片１１と下側台座片１２となっている。その両台座片１１、１２はその前縁でもって連結されている。その連結部１３は中央に折り目線１３ａが形成され、その折り目線１３ａ部分は、折曲及び連結維持に支障がない限りにおいてできるだけ薄くすることが好ましく、例えば３ｍｍ厚程度の薄厚部分を直線状態（各図、符号ｃ参照）で設ける。この連結部１３で直線ｃの折り線１３ａが確定されて上側台座片１１と下側台座片１２を重ね合わせて結合することによって台座１０となる（図１参照）。すなわち、上側台座片１１と下側台座片１２は連結部１３を介して着脱可能となっている。
【００２３】
この台座１０は上記のように色々な素材からなって、例えば、ＥＶＡの板のプレス成形や射出成形によって金型により成形し得るため、その金型に、上側台座片１１及び下側台座片１２と同時に連結部１３を有するキャビティを形成し、そのキャビティ内にＥＶＡ板を装填した金型プレス成形又はＥＶＡを射出成形することによってその台座１０を製造する。
そのプレス成形の場合、その成形樹脂に発泡性の物を使用すると、脱型後、発泡によって上側台座片１１、下側台座片１２及び連結部１３は少し大きくなるが、両台座片１１、１２及び連結部１３は一体物であるため、その発泡度合いを予め予測設計しておけば、製品となった場合のそれらの精度は加える圧力や温度状況が各プレスの中では均等になるので正確なものとなる。このため、上側台座片１１と下側台座片１２とを重ね合わせた際、両者１１、１２はぴったりと精度よく重なり合う。
【００２４】
上側台座片１１には鼻緒２０の前緒２１及び横緒２２の挿通孔１４、１５、１５が形成されており、その挿通孔１４、１５に鼻緒２０の前緒２１及び横緒２２の端部２１ａ、２２ａを挿し通す。その前緒２１及び横緒２２の端部２１ａ、２２ａの形状は、挿通孔１４、１５に通してかつ上側台座片１１の裏面に至らせ、下側台座片１２を上側台座片１１の裏面に合わせて固着した際、その端部２１ａ、２２ａが両台座片１１、１２に挟持されて十分に固着力を持って抜け止めされるように適宜に設定する。
上側台座片１１の表面には、藁草履、竹皮草履、木目等の適宜な模様を形成する。
【００２５】
上側台座片１１の裏面に面ファスナ４０の一片（例えば雄態様）４１を固着し（接着し）、下側台座片１２の上面には面ファスナ４０の他片（例えば雌態様）４２を固着し、この面ファスナ４０によって上下の両台座片１１、１２は着脱可能となっている。面ファスナ４０の取付位置や同面積は、両台座片１１、１２を一体にして台座１０として使用した際、両者１１、１２が剥がれることなく、履き心地が悪くならない程度を考慮して適宜に設定する（図１５参照）。図２の実施形態では両台座片１１、１２の対向面の全域（全面）とした。
【００２６】
この実施形態の履物（雪駄）Ａ１は、以上の構成であり、図２に示す各部品の分解状態において、まず、鼻緒２０の前緒２１及び横緒２２の端部２１ａ、２２ａを上側台座片１１の挿通孔１４、１５に挿し通して上側台座片１１の裏面に至らす。
この状態で、上側台座片１１と下側台座片１２を重ね、面ファスナ４０を介して両台座片１１、１２を固着する（一体化する）。この固着によって、鼻緒２０の前緒２１及び横緒２２の端部２１ａ、２２ａも両台座片１１、１２に挟持されて固定される。
この両台座片１１、１２が重なって台座１０となり、その台座１０に鼻緒２０が取り付けられると、図１に示す履物Ａ１となり、従来と同様にして使用する。
この図１に示す履物Ａ１は、鼻緒２０を適宜な模様のものに交換することによって、趣の異なるものとすることができる。
【００２７】
上側台座片１１と下側台座片１２の連結箇所（連結部１３の位置）は、台座１０の前側に限らず、連結し得る位置であれば何れでも良く、例えば、図３に示す後側としたり（履物Ａ３）、図４に示す横側としたり（履物Ａ４）とすることができる。
その横側に連結部１３を設けた場合、図５に示すように、上側台座片１１を前後の部材１１ａ、１１ｂに分けたり（履物Ａ５）、図６に示すように、下側台座片１２を前後の部材片１２ａ、１２ｂに分けたりし得る（履物Ａ６）。このとき、図５（ｂ）、図６（ｂ）鎖線で示すように、台座片１１、１２の分割した前後の各部材１１ａ、１１ｂ、１２ａ、１２ｂの連結位置を適宜に左右に分けることができる。同図矢印のように、各部材１１ａ、１１ｂ、１２ａ、１２ｂ又は台座片１１、１２を折り倒し両者を一体化して台座１０を構成する。
【００２８】
上記各実施形態において、図２の実施形態においては、連結部１３を履物Ａ１の前に設けているので、上側台座片１１と下側台座片１２の接合剥離部位が後側になり、走行中に躓いても、その躓きによって路面の他の部材が入り込むのは台座１０の前側であるため、後側となる接合剥離部位に路面の他の部材が差し込まれて悪戯されると言う不具合が生じにくい。
図３の実施形態においては、連結部１３を履物Ａ３の後側に設けるので、その連結部１３の背面に図１４で述べる適宜なロゴ７０等の模様を設けることも可能となり、後ろ姿の足元にアクセントを加えることが可能となる。
図４の実施形態においては、連結部１３の長さを長く確保することが可能となるので、連結部１３に設ける直線ｃの折り目線１３ａの長さも長くなり、図２や図３の実施形態よりも確実に上側台座片１１と下側台座片１２を所定の位置に重ねることが可能となるので、さらに重ね位置の精度を高めることが可能となる。
このように、この各実施形態の履物用台座１０は上側台座片１１と下側台座片１２に分けることが可能であるが、この場合、上側台座片１１と下側台座片１２を後で述べる面ファスナ４０で接続する場合、接続強度が強固になりすぎる懸念もある。このため、図５や図６の実施形態のように、各台座片１１、１２を前後の部材１１a、１１ｂ、１２a、１２ｂに分けることで、面ファスナ４０での強固な接続状況を少し緩めることも可能となる。
【００２９】
また、連結部１３を前側又は後側に設けた場合においても、図７に示すように、上側台座片１１を前後の部材１１ａ、１１ｂに分けたり（履物Ａ７）、図８に示すように、下側台座片１２を前後の部材１２ａ、１２ｂに分けたりし得る（履物Ａ８）。また、図９、図１０に示すように、上側台座片１１及び下側台座片１２を前後に２分割し、その上側台座片１１の後側部材１１ｂと下側台座片１２の前側部材１２ａとを連結して一体ものとしたり、図示しないが、上側台座片１１の前側分割部材１１ａと下側台座片１２の後側分割部材１２ｂとを連結して一体ものとしたりすることができる。そのとき、連結部１３は、台座１０の前後であったり（図９の履物Ａ９）、同側面であったり（図１０の履物Ａ１０）とすることができる。その履物Ａ１０の場合、両連結部１３は台座１０の同一の側面でなくても異なる（左右の）側面に設けることができる。
【００３０】
この図７、図８、図９の各実施形態は、連結部１３を履物用台座１０の前後に設けたものであって、面ファスナ４０での結合力を適度な強さに抑えると同時に、前連結の場合は前躓き、後連結の場合は後ろ躓きによる連結部１３への外部からの剥離力が加わらないようにすることが可能となる台座構成である。
図１０に示す実施形態は図９の実施形態における前後連結を横連結に変形した他の実施形態である。
このように、台座１０を上下の台座片１１、１２に２分割し、その上側台座片１１と下側台座片１２を連結して広げた状態で、長幅方向、または短幅方向に２点で定まる直線屈折連結部１３（直線ｃの折り線１３ａ）で連結する構造とし、その台座１０を同一プレス条件で成形することで、予め金型の設計値の２点で定まる直線屈折連結部１３に沿って下側台座片１２と上側台座片１１を合わせると、成型歪も同一条件となることから、結果的に上側台座片１１と下側台座片１２との相互関係においては高精度の位置合わせが可能となる効果を生む。
すなわち、合成樹脂を成形加工する際に素材の特性、温度管理が異なると、若干完成品に大きさの不揃いが生じる。特に、発泡成形の場合にはその不揃いの差が顕著になる。
しかし、一つの金型で台座１０の上側台座片１１と下側台座片１２を連結して成形すると、常に、その台座１０の上側台座片１１と下側台座片１２の素材の特性差は無くなると同時に、その素材に対する成形途上の素材の温度管理も同一になるので、成型後の大きさとして台座１０の上側台座片１１と下側台座片１２との間に不揃いは発生しないので、高精度の位置合わせを実現する。
これによって、台座１０の上側台座片１１と下側台座片１２を合わせる際の大きさの差および位置合わせの精度は格段に向上する。
【００３１】
上記各実施形態（Ａ１、Ａ３〜Ａ１０）において、雨等の日に、つま先カバー５０を付ける場合は、例えば、図１１、図１２に示すようにそのつま先カバー５０を取り付けた履物Ａ２とし得る。そのつま先カバー５０は、例えば透明又は各種色のプラスチックや革等（つま先カバーの素材はこれに限定する必要性はない）からなり、その下縁両側に取付片５１を有している。この取付片５１を上下の台座片１１、１２の間に挟み込んで固定することによって台座１０の前側（つま先）に取り付ける。このとき、取付片（つま先カバー５０の側片端部）５１は、図１１に示すように、上側台座片１１の側面から両台座片１１、１２の間に入り込ませたり、図１２に示すように、上側台座片１１にその挿通孔５２を介して両台座片１１、１２の間に入り込ませたりして、両台座片１１、１２の間で挟持固着する。
【００３２】
また、図１３に示すように、鼻緒２０を有しない履物Ａ２’においても、つま先カバー５０を設けてサンダル仕様とし得る。このとき、同図に示すように、取付片５１は、上側台座片１１の側面から両台座片１１、１２の間に入り込ませたり、上側台座片１１にその挿通孔５２を介して両台座片１１、１２の間に入り込ませたりして（図１２参照）、両台座片１１、１２の間で挟持固着することができることは勿論である。
【００３３】
なお、つま先カバー５０の取付片５１や前緒２１及び横緒２２の端部２１ａ、２２ａにも、面ファスナ４０の一片部分を設けて、例えば、一片４１に対しては他片４２の態様のものを、他片４２に対しては一片４１の態様のものを設けて、鼻緒２０の端部２１ａ、２２ａを台座片１１、１２の面ファスナ４０（片４１、４２）に固着するようにすることができる（下記図１４〜図１５の履物Ａ１１参照）。
このように、台座１０は上側台座片１１と下側台座片１２に分割可能なので、この間に鼻緒２０の端２１ａ、２２ａを挿げて固定する事も可能であり、つま先カバー５０などの他の部材も台座１０の上側台座片１１と下側台座片１２間の分割隙間を利用して挟み込むことが可能となり、容易に鼻緒の交換やつま先カバーの交換も可能となる。
【００３４】
さらに、他の実施形態を図１４、図１５に示し、この実施形態の履物Ａ１１は、その外形を旧来の雪駄により似せたものであって、図４の実施形態の履物Ａ４と同様に、連結部１３を上側台座片１１と下側台座片１２の側縁に設けたものである。また、上述のように、面ファスナ４０の取付位置や同面積は、両台座片１１、１２を一体にして台座１０として使用した際、両者１１、１２が剥がれることなく、かつ履き心地が悪くならない程度を考慮して適宜に設定すれば良いため、両台座片１１、１２の周囲ほぼ全周縁のみに面ファスナ４０（４１、４２）を固着するとともに、挿通孔１４、１５の周りに一方のファスナ片４１を固着したものである。
【００３５】
このため、上下の台座片１１、１２を重ね合わすと、図１４（ｂ）に示すように、面ファスナ４０で囲まれた両台座片１１、１２の間に空隙３１が形成される。この空隙３１に、片状ウエイトや同クッション、鍵等に加えてお金等を収納する。他の収容物としては、交換用の鼻緒２０やつま先カバー５０などを収納することも可能であるし、履物Ａ１１の骨組みを強固なものにするならば、履物の反りを抑える中芯を差し込むことも可能である。
このように、台座１０にウエイト等の多様な収納物を目的に応じて収納し得れば、色々な機能を発揮する履物とし得るとともに、軽装で行動する為に手には可能な限り何も持ちたくはない場合には、小物等を空隙３１に収納できて有利な履物Ａ１１となる。
空隙３１は、図１４（ｂ）の鎖線で示すように、上側台座片１１、下側台座片１２又は両者１１、１２に積極的に凹部３２を形成してより大きな収納部を形成することができる。このとき、その凹部３２の大きさや形状は、履き心地に支障がでないようにする。
【００３６】
また、上述のように、一つの例として、前緒２１及び横緒２２の端部２１ａ、２２ａにも、面ファスナ４０によって固着し得るため、この実施形態の鼻緒２０は、図１５に示すように、表布２２１と裏布２２２をスポンジ片等を介在し合わせて縫合したものとし、その表布２２１は各種の模様入り織り布とし、裏布２２２は起毛した布としてその起毛によって面ファスナ４０の雌片４２を形成したものである。この実施形態においては、上側台座片１１の面ファスナ片４１を雄片としている。
図１５に示す鼻緒は和鼻緒であって、その場合は以上の作りになるが、その他の鼻緒の場合、他の素材により、例えば、型を用いて鼻緒を成形し、ファスナ片も接着剤で貼り合わせたり、溶着温度の差を利用して一体成型で製作したりしても良い。
【００３７】
この実施形態の履物（雪駄）Ａ１１は、まず、鼻緒２０の前緒２１及び横緒２２の端部２１ａ、２２ａを上側台座片１１の挿通孔１４、１５に挿し通して上側台座片１１の裏面に至らし、その端部２１ａ、２２ａを上側台座片１１の雄ファスナ片４１に押し付けることによって固着する。このとき、その固着位置は、何れでも良いが、例えば、前緒２１の端部２１ａは挿通孔１４の横方向、横緒２２の端部２２ａは挿通孔１５の前方向等とする。
この状態で、上側台座片１１と下側台座片１２を重ね、台座片１１、１２の周縁の面ファスナ４０を介して両台座片１１、１２を固着する（一体化する）。
この両台座片１１、１２が重なって鼻緒２０付きの台座１０となって、図１４に示す履物Ａ１１となり、従来と同様にして使用する。
この図１４に示す履物Ａ１１も同様に、鼻緒２０を適宜な模様のものに交換することによって、趣の異なるものとすることができる。因みに、この履物Ａ１１の連結部１３も台座１０の前後とし得ることは勿論である。
【００３８】
上記各実施形態の履物Ａ１〜Ａ１１は、連結部１３を一つとしたが、連結部１３で直線ｃの折り線１３ａ位置を確定して上側台座片１１と下側台座片１２を重ね合わせて結合し得る限りにおいて、その連結部１３の数は任意である。例えば、図４（ｂ）において、鎖線部分で囲まれた部位を切除した２つの連結部１３とし得る。
【００３９】
因みに、雪駄に限らず、下駄、草履等の、足を載せる台座１０と、その台座に鼻緒２０を取付たり、つま先カバー５０を取付けたりする履物であれば、この発明を採用し得ることは言うまでもない。また、例えば、図１６に示す長靴Ａ１２や短靴等の台座としてこの発明に係る台座１０を使用することができる。この履物（長靴等）Ａ１２の場合、足の入る履物（靴）本体６０を別途に形成し、その本体６０をこの発明に係る台座１０に接着等によって取り付けることとなる。このとき、台座１０に上記空隙３１及び凹部３２を形成し得ることは勿論である。
さらに、台座１０の側面には、図１４に示すような適宜なロゴ７０を設けることができる。このロゴ７０は上下の台座片１１、１２の連結部１３の背中を利用して設けるものである。
【００４０】
以上の通り、いずれの実施形態においても、台座１０の上側台座片１１と下側台座片１２は面ファスナ４０で張り合わせ、通常の履物利用では台座１０は割れず、人が意図的に台座１０の貼合わせ面に力を加えることで上側台座片１１と下側台座片１２の分割が可能となる。
また、本願に係る発明の構造によって、台座１０の中に潜めた小物の出し入れから、鼻緒２０やつま先カバー５０の交換も容易に可能になるので、外出先においても履物の利用シチュエーションに照らした構成で履物の模様替えが可能となる。
さらに、この台座１０の上側台座片１１と下側台座片１２は複数分割形状で構成する事も可能であるので、台座１０の外観デザインも色々な形状で提供可能となる。
【符号の説明】
【００４１】
１０  履物台座
１１  台座の上側台座片
１１ａ、１１ｂ  同上側台座片の前後の分割部材
１２  台座の下側台座片
１２ａ、１２ｂ  同下側台座片の前後の分割部材
１３  上下の台座片の連結部
１３ａ  直線ｃの折り目線
１４、１５  鼻緒の端部の挿通孔
２０  鼻緒
２１  前緒
２１ａ  前緒の端部
２２  横緒
２２ａ  横緒の端部
３１  両台座側片の間の空隙
３２  空隙用凹部
４０  面ファスナ
４１  面ファスナの一片
４２  面ファスナの他片
５０  つま先カバー
５１  つま先カバーの取付片（側片端部）
Ａ１〜Ａ１２  履物  
【要約】
【課題】鼻緒２０の取り替え等によって趣の異なる種々の履物に容易にし得るようにする。
【解決手段】足を載せる台座１０と、その台座に取付けた鼻緒２０とからなる履物である。台座は上下に２分割され、その上側台座片１１に鼻緒の前緒２１及び横緒２２の挿通孔１４、１５が形成されている。挿通孔に鼻緒の前緒及び横緒の端部２１ａ、２２ａを挿し通して上側台座片の裏面に至らせ、下側台座片を上側台座片の裏面に合わせて固着し、その両台座片の固着によって鼻緒が両台座片に挟持されて抜け止めされる。上側台座片と下側台座片は面ファスナ４０によって着脱自在とする。上側台座片と下側台座片は連結部１３を介して並べた状態で、その形状のキャビティを有する金型によるプレス成形によって成形する。上側台座片に種々の模様の鼻緒２０を取り付けて趣の異なる履物ともし得る。両台座片の重ね部の空隙３１には小物を入れる。
【選択図】図１４【図１】
0005775205.tif 000002
【図２】
0005775205.tif 000003
【図３】
0005775205.tif 000004
【図４】
0005775205.tif 000005
【図５】
0005775205.tif 000006
【図６】
0005775205.tif 000007
【図７】
0005775205.tif 000008
【図８】
0005775205.tif 000009
【図９】
0005775205.tif 000010
【図１０】
0005775205.tif 000011
【図１１】
0005775205.tif 000012
【図１２】
0005775205.tif 000013
【図１３】
0005775205.tif 000014
【図１４】
0005775205.tif 000015
【図１５】
0005775205.tif 000016
【図１６】
0005775205.tif 000017